(57)【特許請求の範囲】
【請求項１】
外枠に対する内枠の開閉装置を設けてなる刺繍機において、
外枠が縦断面上向角形又はほぼ半円弧形溝形杆により形成され、内枠が縦断面下向角形又はほぼ半円弧形溝形杆により形成され、
内枠の内縁が、外枠の内縁より内側にあって外枠の内縁より低く、
かつ内枠の外縁が、外枠の外縁より内側にあって外枠の外縁より低く閉じられ、かつ上記内縁間及び外縁間にそれぞれ水平方向間隙が保持されてなり、
かつ平状及び帯状布の刺繍では環状の内外枠を用い、既製の帽子のまち部の刺繍に当っては正面を開口した内外枠と取替え、内外枠間にまち部を介在させ、鍔部を開口部から外側に出した状態となしまち部に刺繍を施すよう形成になる
刺繍機における刺繍枠。
【請求項２】
上記外枠が支持具により機枠の正面に一定水準位置に支持され、上記内枠が左右両側に設けた昇降腕により平行昇降自在に支持された請求項１記載の刺繍機における刺繍枠。
【請求項３】
上記開閉装置が、機枠に設けた直立正逆回動螺杆と、これに螺合する雌螺子に上記内枠の昇降腕の基端部を一定方向に着脱自在に支持してなる請求項１又は２記載の刺繍機における刺繍枠。
【発明の詳細な説明】
【技術分野】
【０００１】
本発明は内外枠間に布を締付けて該枠に布を張設する刺繍機における刺繍枠に関するものである。
【背景技術】
【０００２】
従来の刺繍機の刺繍枠では下部の外枠に向って昇降回動する内枠を備え、外枠の内面をテーパ面とし、内外枠間にスポンジを介在させることによって内枠内に布を弛みなく張設するものであった（例えば特許文献１）。
【０００３】
又帽子用刺繍枠では帽子内に半円弧形枠を挿入し、その下方に円弧形調整板を挿入し、帽子を内部から締付けて半円弧型枠内のまち部に刺繍を施した（例えば特許文献２）。
【０００４】
内枠を外枠に重ねるため内枠の基部を機枠に中心軸を中心に回動昇降させ、内枠の外側にもうけたスポンジを外枠に圧着させるため、外枠の内周を内側に傾斜するテーパ面とし、該テーパ面上の布をスポンジで押さえ、それにより内枠内に布を張設したが、テーパ面とスポンジの間で刺繍針の圧力で布がずれて弛緩部を生じた。
【０００５】
又帽子のまち部刺繍にまち部全周を拡大する装置を要した。
【０００６】
【特許文献１】特許第２９９３９５９号
【特許文献２】特許第２９９３９６０号
【発明の開示】
【発明が解決しようとする課題】
【０００７】
本発明は内枠を上下方向に平行移動により開閉可能でスポンジテーパ面という面接触によることなく複数の平行線接触によって布の緊張を保持し易く、
かつ平面布又は帯等の刺繍ばかりでなく、内外枠を取替えるのみで帽子のまち部刺繍を弛緩なく安全容易に行うことを目的とする。
【課題を解決するための手段】
【０００８】
上記の目的を達成するため本発明は、
第１に外枠に対する内枠の開閉装置を設けてなる刺繍機において、外枠が縦断面上向角形又はほぼ半円弧形溝形杆により形成され、内枠が縦断面下向角形又はほぼ半円弧形溝形杆により形成され、内枠の内縁が、外枠の内縁より内側にあって外枠の内縁より低く、かつ内枠の外縁が、外枠の外縁より内側にあって外枠の外縁より低く閉じられ、かつ上記内縁間及び外縁間にそれぞれ水平方向間隙が保持されてなり、かつ平状及び帯状布の刺繍では環状の内外枠を用い、既製の帽子のまち部の刺繍に当っては正面を開口した内外枠と取替え、内外枠間にまち部を介在させ、鍔部を開口部から外側に出した状態となしまち部に刺繍を施すよう形成になる刺繍機における刺繍枠、
第２に上記外枠が支持具により機枠の正面に一定水準位置に支持され、上記内枠が左右両側に設けた昇降腕により平行昇降自在に支持された上記第１発明記載の刺繍機における刺繍枠、
第３に上記開閉装置が、機枠に設けた直立正逆回動螺杆と、これに螺合する雌螺子に上記内枠の昇降腕の基端部を一定方向に着脱自在に支持してなる上記第１又は第２発明記載の刺繍機における刺繍枠、
によって構成される。
【０００９】
従って布を外枠の上面に載せ、開閉装置の上記正逆回動螺杆を一方に回動させることにより上記昇降腕を一定方向のまま下降させる。
【００１０】
そして上記昇降腕の先端に設けられた内枠を外枠に接触させて該内外枠内の布を該内外枠のそれぞれ内外縁間に狭圧又は緊張支持し、それによって内枠内に布を緊張状態に張設する。
【００１１】
その状態で針を内枠内の布に刺入刺出させても内外縁の緊張状態定着布がずれるおそれがなく安全に刺繍を行うことができる。
【００１２】
又帽子主体を開口部から外枠内に挿入し、鍔を開口部の外側に保持してまち部を上記内外枠に上述のように緊張状態に張設し、その状態でまち部に刺繍を施すことができる。
【００１３】
広い布や帯に刺繍を施すときは環状の内外枠を用い帽子のまち部に刺繍を施す場合は上記開閉装置から環状内外枠を外し、開口部を有する内外枠に交換する。
【発明の効果】
【００１４】
本発明は上述のように構成したので開閉装置から上記内外枠を環状のものによって広い布や帯の刺繍を行い、開口部を有する内外枠に取替えるのみで帽子のまち部に刺繍を容易に施すことができる。
【００１５】
又上記布やまち部は内外枠の縦断面上向及び下向溝形杆の内外縁による４条の平行線によって強く緊張支持され、ずれるおそれが少なく安全に刺繍を施し得る効果がある。
【発明を実施するための最良の形態】
【００１６】
刺繍機１０の正面機枠６に外枠１及び内枠２の開閉装置３を設ける（図５（イ）（ロ）（ハ）図、図６（イ）（ロ）図）。
【００１７】
この開閉装置３は上下の軸受板３’，３”間に正逆回動螺杆８を直立させて支持し、該螺杆８に雌螺子９を螺合し、該雌螺子９の直立昇降案内ガイド９’が設けられ、下部軸受板３’の下部に上記螺杆８の駆動用ウォームギア１１を設け、該ギア１１に螺合する正逆回動ウォーム１２を正逆駆動電動機１４の出力軸１３に設ける。
【００１８】
上記雌螺子９には一定方向に向う昇降腕７，７の基端部を着脱自在に装着する金具１５を固定ネジ１６により固定し、上記昇降腕７，７の先端部を内枠２の左右両側面にネジ１７，１７及び又は水平金具１８，１８により固定し、該内枠２を水平に支持する。
【００１９】
上記正面機枠６の正面には取付金具１９を設け、該取付金具１９の先端部に溶着又はネジ２０等により支持具５を設け、その先端に外枠１を水平に支持する。
【００２０】
そして上記螺杆８の正回動によって下降した雌螺子９にもうけた上記昇降腕７，７の先端部の上記内枠２を上記水平支持外枠１上に水平に重合させることができる（図１（イ）（ロ）図、図５（イ）（ロ）図）。
【００２１】
又上記螺杆８の逆回動によって、上述と逆の動作を行い内枠２を外枠１の上方に垂直に上昇させ、螺杆８の上記回動を停止させることによって該内枠２を上昇位置に停止させることができる（図２（イ）図、図５（イ）図仮想線、（ハ）図、図６（ロ）図にその状態を示す）。
【００２２】
上記内外枠１，２はそれぞれ縦断面溝型杆１ａ，２ａによって構成され、該杆１ａ，２ａの溝の方向は外枠１が上向で内枠２は下向であって、上述のように重合した状態（閉じた状態）では図１（イ）（ロ）図に示すように内枠２の内縁２’が、外枠１の内縁１’より内側にあって外枠１の内縁１’より低い位置に形成され、
内枠２の外縁２”が、外枠１の外縁１”より内側にあって外枠２の外縁２”より低く重合する（閉じる）。上記溝形杆１ａ，２ａの溝は図１（イ）図に示すように角形であり、図１（ロ）図に示すようにほぼ半円弧形溝とすることができる。
【００２３】
上記内縁１’，２’間及び外縁１”，２”間には水平方向間隙ｔ，ｔ’が保持され、布２１の刺繍部２１’は内枠２の下向内縁２’，２’内に緊張して張られ、上記刺繍部２１’の外周は内縁１’，２’及び外縁１”，２”に圧接し、その摩擦圧によって内外方向の摺動が阻止され、上記刺繍部２１’を緊張状態に保持し、その状態で該刺繍部２１’に刺繍針を刺入刺出し刺繍を施すことができる。
【００２４】
平状及び帯状布の刺繍では環状の内外枠１，２を用い（図３（イ）（ロ）図）、
既製の帽子２２のまち部２２’の刺繍に当ってはネジ１６，２０を弛めて図２（ロ）図や図６（イ）（ロ）に示す正面を開口４した内外枠１，２と取替え、内枠２を上昇させ、内外枠１，２間にまち部２２を介在させ鍔部２２”を開口部４から外側に出した状態となし、内枠２を下降させて内外枠１，２を図１（イ）又は（ロ）図に示すように閉じた状態となし、まち部２２’（刺繍部２１’）に刺繍を施すことができる。
【図面の簡単な説明】
【００２５】
【図１】（イ）（ロ）図は内外枠が閉じた状態を正面から見た縦断面図である。
【図２】（イ）図は正面開口内外枠の斜視図、（ロ）図は帽子を内外枠間に支持した斜視図である。
【図３】（イ）図は環状内枠の平面図、（ロ）図は環状外枠の平面図である。
【図４】（イ）図は正面開口内枠の平面図、（ロ）図は正面開口外枠の平面図である。
【図５】（イ）図は開閉装置及び内外枠の右側面図、（ロ）図は（イ）図の正面図、（ハ）図は内枠上昇状態の正面図である。
【図６】（イ）図は図５（イ）図の平面図、（ロ）図は図５（ハ）図の右側面図である。
【符号の説明】
【００２６】
１          外枠
１ａ        縦断面上向溝形杆
１’２’    内縁
２          内枠
２ａ        縦断面下向溝形杆
１”，２”  外縁
３          開閉装置
４          開口
５          支持具
６          機枠
７          昇降腕
８          直立正逆回動螺杆
９          雌螺子
１０        刺繍機
【要約】
【課題】  本発明は内枠を上下方向に平行移動により開閉可能でスポンジテーパ面という面接触によることなく複数の平行線接触によって布の緊張を保持し易く、かつ平面布又は帯等の刺繍ばかりでなく内外枠１，２を取替えるのみで帽子のまち部刺繍を弛緩なく安全容易に行うことを目的とする。
【解決手段】  外枠１に対する内枠２の開閉装置３を設けてなる刺繍機１０において、外枠１が縦断面上向溝形杆１ａにより形成され、内枠２が縦断面下向溝形杆２ａにより形成され、内枠２の内縁２’が、外枠１の内縁１’より内側にあって外枠１の内縁１’より低く、かつ内枠２の外縁２”が、外枠１の外縁１’より内側にあって外枠１の外縁１”より低く閉じられる刺繍機における刺繍枠。
【選択図】  図１
【図１】
0003669633.tif 000002
【図２】
0003669633.tif 000003
【図３】
0003669633.tif 000004
【図４】
0003669633.tif 000005
【図５】
0003669633.tif 000006
【図６】
0003669633.tif 000007